(57)【要約】      （修正有）【課題】通気孔に撥水フィルタが取り付けられてなる通気性と防水性を両立した電子回路基板の収容ケースにおいて、取り付け方向に関わらず通気孔への液体や異物の侵入を抑制すると共に、侵入した液体や異物の排出を容易にする。【解決手段】カバー１４に穿設された通気孔５０に、液体や異物の排出を容易にする排出補助部、具体的には通気孔テーパ部を形成すると共に、撥水フィルタ５２を保護するための保護格子部の側面に保護格子部テーパ部を形成し、それらと撥水フィルタのなす角度を９０度以上に設定する。また、カバーに、通気孔への液体や異物の侵入を阻止する侵入阻止部、具体的には、通気孔から所定距離離間した位置において通気孔を取り囲む環状溝部５８と、前記環状溝部から上面１４Ｕの各辺６０ａ，６０ｂ，６０ｃ，６０ｄに連続する直線状溝部６２ａ，６２ｂ，６２ｃ，６２ｄを形成する。【選択図】図１
2004356524.tif 000002
【特許請求の範囲】
【請求項１】
通気孔が穿設されると共に、前記通気孔にインサート成形によって撥水フィルタが取り付けられてなる電子回路基板の収容ケースにおいて、前記通気孔に、前記通気孔に侵入した液体や異物の排出を容易にする排出補助部を形成するように構成したことを特徴とする電子回路基板の収容ケース。
【請求項２】
前記排出補助部が、前記通気孔の径を前記収容ケースの内方から外方へと拡径させるテーパ部からなることを特徴とする請求項１項記載の電子回路基板の収容ケース。
【請求項３】
前記排出補助部が、前記通気孔の径を前記収容ケースの内方から外方へと拡径させる湾曲部からなることを特徴とする請求項１項記載の電子回路基板の収容ケース。
【請求項４】
前記収容ケースに、前記通気孔への液体や異物の侵入を阻止する侵入阻止部を一体成形したことを特徴とする請求項１項から３項のいずれかに記載の電子回路基板の収容ケース。
【請求項５】
前記侵入阻止部が、前記通気孔から所定距離離間した位置において前記通気孔を取り囲むように形成された第１の溝部と、前記第１の溝部から前記通気孔が穿設される面の各辺へと連続するように形成された複数本の第２の溝部とからなることを特徴とする請求項４項記載の電子回路基板の収容ケース。
【請求項６】
前記侵入阻止部が、前記通気孔から所定距離離間した位置において前記通気孔を取り囲むように突設された防壁部からなることを特徴とする請求項４項記載の電子回路基板の収容ケース。
【請求項７】
前記通気孔に、前記撥水フィルタを保護するための保護格子部を形成したことを特徴とする請求項１項から６項のいずれかに記載の電子回路基板の収容ケース。
【請求項８】
前記保護格子部の側面に、前記保護格子部の幅を前記通気孔の内方から外方に向けて縮小させるテーパ部を形成したことを特徴とする請求項７項記載の電子回路基板の収容ケース。
【請求項９】
前記保護格子部の側面に、前記保護格子部の幅を前記通気孔の内方から外方に向けて縮小させる湾曲部を形成したことを特徴とする請求項７項記載の電子回路基板の収容ケース。
【発明の詳細な説明】
【０００１】
【発明の属する技術分野】
この発明は電子回路基板の収容ケースに関し、より詳しくは、通気孔にインサート成形によって撥水フィルタが取り付けられてなる、通気性と防水性を両立した電子回路基板の収容ケースに関する。
【０００２】
【従来の技術】
水分や油分が飛散して付着する可能性のある環境や粉塵の多い環境で使用される電子回路基板の収容ケースにあっては、電子回路基板を収容する空間を密閉して防水性や防塵性を向上させる必要がある。
【０００３】
一方、電子回路基板を収容する空間を密閉すると、周囲の温度変化や電子回路基板に実装された電子部品の発熱などに起因する収容ケース内の温度変化に伴い、内圧が変化する。このような状況下において、内圧の変化による収容ケースの破損を防止するため、通気性を確保することが望まれる。
【０００４】
このような相反する要求を両立する技術として、例えば特許文献１に記載される技術を挙げることができる。特許文献１に記載される技術にあっては、密閉された収容ケースに通気孔（貫通孔５０）を穿設すると共に、前記通気孔の内側に撥水フィルタ（撥水・撥油膜４０。空気は通すが液体は通さない撥水、撥油性の膜）を取り付けることで、通気孔に侵入した液体や異物が収容ケース内部へと入り込むのを防止し、よって防水性と通気性を両立させるようにしている。
【０００５】
ところが、上記した特許文献１に記載される技術にあっては、通気孔に侵入した液体や異物が収容ケース内部へと入り込むのは防止できるが、液体や異物の通気孔への侵入は抑制することができなかった。このため、通気孔に侵入した液体や異物によって撥水フィルタが覆われてしまい、所期の通気性を得ることができなくなるという不都合があった。
【０００６】
かかる不都合を解消し、通気孔への液体や異物の侵入を抑制する技術としては、例えば特許文献２から４に記載される技術を挙げることができる。
【０００７】
特許文献２に記載される技術にあっては、機器が通常使用される姿勢において通気孔（放熱穴部９）を避けて略上下方向に配列される溝部（溝条部８）を形成することで、機器に付着した液体が溝部を伝って通気孔を回避して排水されるように構成している。また、通気孔の外周に環状の凸部１０を形成し、液体や異物が侵入し難いように構成している。
【０００８】
また、特許文献３に記載される技術にあっては、収容ケースの壁面１６ｗから突出する円錐形状の通気孔（換気口１８−１など）を形成し、液体や異物が侵入し難くすると共に、収容ケースの壁面１６ｗと撥水フィルタ（防水用フィルタ２２）との間に間隙（深さＳ）を設け、侵入を防げなかった液体や異物をそこに貯留させることによって撥水フィルタが目詰まりするのを防止するように構成している。
【０００９】
また、特許文献４に記載される技術にあっては、通気孔（呼吸孔２１）の内側に撥水フィルタ（フィルタ−１０）を押さえ板１５で押さえつつ、ねじ１８でねじ止めすることによって取り付けると共に、通気孔の外周に環状の突出部２２を形成して液体や異物が侵入し難いように構成している。
【００１０】
【特許文献１】
国際公開第０１／２０９５８号パンフレット（第５頁、図１など）
【特許文献２】
特開平１１−２６９６９号公報（段落００２３、図２など）
【特許文献３】
特開２０００−１１４７３３号公報（段落００１９から００３５、図１など）
【特許文献４】
特開２０００−１３８４６９号公報（段落００２４，００２５、図１など）
【００１１】
【発明が解決しようとする課題】
しかしながら、上記した特許文献２に記載される技術にあっては、機器（具体的にはカメラ）が通常使用される姿勢においてのみ付着した水分を通気孔を回避して排水できる構造であることから、かかる技術を収容ケースに応用すると、収容ケースの取り付け方向（向き）に制約が生じてしまうという不都合があった。
【００１２】
また、特許文献２から４に記載される各技術にあっては、いずれも液体や異物の侵入を抑制するべく、通気孔の外周が突出されていることから、通気孔の深さが実質的に深くなり、通気孔に侵入した液体や異物が排出され難くなるという不具合があった。
【００１３】
従って、この発明の目的は上記した課題を解決し、通気孔に液体や異物が侵入するのを抑制することができると共に、侵入した液体や異物の排出を容易にし、さらには取り付け方向に制約が生じることのないようにした電子回路基板の収容ケースを提供することにある。
【００１４】
【課題を解決するための手段】
上記した課題を解決するため、請求項１項においては、通気孔が穿設されると共に、前記通気孔にインサート成形によって撥水フィルタが取り付けられてなる電子回路基板の収容ケースにおいて、前記通気孔に、前記通気孔に侵入した液体や異物の排出を容易にする排出補助部を形成するように構成した。
【００１５】
このように、請求項１項にあっては、収容ケースに穿設された通気孔に、液体や異物の排出を容易にする排出補助部を形成するように構成したので、通気孔に侵入した液体や異物を容易に排出することができる。
【００１６】
また、請求項２項にあっては、前記排出補助部が、前記通気孔の径を前記収容ケースの内方から外方へと拡径させるテーパ部からなるように構成した。
【００１７】
このように、請求項２項にあっては、通気孔に侵入した液体や異物の排出を容易にする排出補助部が、前記通気孔の径を収容ケースの内方から外方へと拡径させるテーパ部からなるように構成したので、請求項１項で述べたのと同様な効果を簡易な構成で得ることができる。
【００１８】
また、請求項３項にあっては、前記排出補助部が、前記通気孔の径を前記収容ケースの内方から外方へと拡径させる湾曲部からなるように構成した。
【００１９】
このように、請求項３項にあっては、通気孔に侵入した液体や異物の排出を容易にする排出補助部が、前記通気孔の径を収容ケースの内方から外方へと拡径させる湾曲部からなるように構成したので、請求項１項で述べたのと同様な効果を簡易な構成で得ることができる。
【００２０】
また、請求項４項にあっては、前記収容ケースに、前記通気孔への液体や異物の侵入を阻止する侵入阻止部を一体成形するように構成した。
【００２１】
このように、請求項４項にあっては、収容ケースに、通気孔への液体や異物の侵入を阻止する侵入阻止部を一体成形するように構成したので、請求項１項から３項で述べた効果に加え、通気孔に液体や異物が侵入するのを抑制することができる。
【００２２】
また、請求項５項にあっては、前記侵入阻止部が、前記通気孔から所定距離離間した位置において前記通気孔を取り囲むように形成された第１の溝部と、前記第１の溝部から前記通気孔が穿設される面の各辺へと連続するように形成された複数本の第２の溝部とからなるように構成した。
【００２３】
このように、請求項５項にあっては、通気孔への液体や異物の侵入を阻止する侵入阻止部が、前記通気孔から所定距離離間した位置において前記通気孔を取り囲むように形成された第１の溝部と、前記第１の溝部から前記通気孔が穿設される面の各辺へと連続するように形成された複数本の第２の溝部とからなるように構成したので、請求項４項で述べた効果に加え、収容ケースの取り付け方向に制約が生じることがない。
【００２４】
また、請求項６項にあっては、前記侵入阻止部が、前記通気孔から所定距離離間した位置において前記通気孔を取り囲むように突設された防壁部からなるように構成した。
【００２５】
このように、請求項６項にあっては、通気孔への液体や異物の侵入を阻止する侵入阻止部が、前記通気孔から所定距離離間した位置において前記通気孔を取り囲むように突設された防壁部からなるように構成したので、請求項４項で述べた効果に加え、収容ケースの取り付け方向に制約が生じることがない。
【００２６】
また、請求項７項にあっては、前記通気孔に、前記撥水フィルタを保護するための保護格子部を形成するように構成した。
【００２７】
このように、請求項７項にあっては、通気孔に、撥水フィルタを保護するための保護格子部を形成するように構成したので、請求項１項から６項で述べた効果に加え、撥水フィルタの破損を防止できる。
【００２８】
また、請求項８項にあっては、前記保護格子部の側面に、前記保護格子部の幅を前記通気孔の内方から外方に向けて縮小させるテーパ部を形成するように構成した。
【００２９】
このように、請求項８項にあっては、撥水フィルタを保護するための保護格子部の側面に、前記保護格子部の幅を通気孔の内方から外方に向けて縮小させるテーパ部を形成するように構成したので、請求項７項で述べた効果に加え、通気孔に保護格子部を形成した場合であっても、通気孔に侵入した液体や異物を容易に排出することができる。
【００３０】
また、請求項９項にあっては、前記保護格子部の側面に、前記保護格子部の幅を前記通気孔の内方から外方に向けて縮小させる湾曲部を形成するように構成した。
【００３１】
このように、請求項９項にあっては、撥水フィルタを保護するための保護格子部の側面に、前記保護格子部の幅を通気孔の内方から外方に向けて縮小させる湾曲部を形成するように構成したので、請求項７項で述べた効果に加え、通気孔に保護格子部を形成した場合であっても、通気孔に侵入した液体や異物を容易に排出することができる。
【００３２】
【発明の実施の形態】
以下、添付図面を参照してこの発明の一つの実施の形態に係る電子回路基板の収容ケースについて説明する。
【００３３】
図１は、この実施の形態に係る電子回路基板の収容ケースをケース本体とカバーに分けて示す斜視図である。
【００３４】
図１で符号１０は、電子回路基板の収容ケース（以下単に「収容ケース」という）を示す。収容ケース１０は、ケース本体１２と、それに取り付けられるカバー１４を備え、それらによって形成される空間内に電子回路基板１６（以下単に「基板」という）を収容する。尚、基板１６に実装される電子部品については、コネクタ１８を除いて図示を省略する。
【００３５】
ケース本体１２は、アルミニウムなどの熱伝導性の高い金属から形成される。ケース本体１２の底面１２Ｂには、開口部２０が形成される。開口部２０は、後述の如くコネクタ１８が挿通されるため、以下、開口部２０を「コネクタ用開口部」という。
【００３６】
コネクタ用開口部２０の外周には、所定の幅と深さを有する凹部２２（溝。以下「コネクタ用凹部」という）が全周にわたって形成される。また、ケース本体１２の側面１２Ｓに隣接する位置には、基板１６が載置されるべき載置部２４が複数個形成される。さらに、側面１２Ｓの上端（カバー１４との当接部）には、所定の幅と深度を有する凹部２６（溝。以下「カバー用凹部」という）が全周にわたって形成される。
【００３７】
一方、カバー１４は、ポリブチレンテレフタレート（ＰＢＴ）などの弾性変形可能な樹脂材から形成される。カバー１４の側面１４Ｓには、スナップフィット３２が複数個延設される。また、側面１４Ｓの下端（ケース本体１２との当接部）には、前記したカバー用凹部２６に挿入されるべき凸部３４（以下「カバー側凸部」という）が形成される。尚、この実施の形態にあっては、側面１４Ｓの略全てがカバー側凸部３４としてカバー用凹部２６に挿入されるため、側面１４Ｓとカバー側凸部３４は略等価と考えても良い。
【００３８】
基板１６には、前述したようにコネクタ１８を含む複数個の電子部品が実装される。コネクタ１８は、具体的には３個のブロックから構成されると共に、それらの外壁はＰＢＴなどの樹脂材から形成される。また、コネクタ１８の周囲には、前記したコネクタ用凹部２２に挿入されるべき凸部３６（以下「コネクタ側凸部」という）が形成される。コネクタ側凸部３６は、より具体的には、コネクタ１８を構成する３個のブロックのそれぞれの外壁と連続すると共に、それら全てを取り囲むように突設される。
【００３９】
次いで、ケース本体１２への基板１６の取り付けについて説明すると、ケース本体１２に形成されたコネクタ用凹部２２に、弾性を有する（硬化後の硬度が低い）接着剤、例えばシリコン系の接着剤を適量塗布した後、基板１６の部品面側（電子部品が実装される面）をケース本体１２の載置部２４に載置し、ねじ３８によって締結固定する。
【００４０】
このとき、基板１６に実装されたコネクタ１８は、ケース本体１２の底面１２Ｂに穿設されたコネクタ用開口部２０を介してケース本体１２の外方へと突出させられると共に、コネクタ用凹部２２にコネクタ側凸部３６が挿入される。即ち、コネクタ用凹部２２とコネクタ側凸部３６が接着剤を介して密着されることにより、コネクタ用開口部２０が密封される。
【００４１】
ケース本体１２に基板１６が取り付けられた後、次いでカバー１４がケース本体１２に取り付けられる。具体的には、ケース本体１２に形成されたカバー用凹部２６に、弾性を有する（硬化後の硬度が低い）接着剤、例えばシリコン系の接着剤を適量塗布した後、カバー用凹部２６にカバー側凸部３４を挿入しつつ、カバー１４のスナップフィット３２をケース本体１２に突設された爪部４０に嵌合させる。
【００４２】
即ち、カバー用凹部２６とカバー側凸部３４が接着剤を介して密着されることにより、基板１６が収容される空間内が密閉される。また、スナップフィット３２によってケース本体１２とカバー１４が仮固定されることから、接着剤が硬化するまでの間、専用の治具を用いることなくケース本体１２とカバー１４とを所望の位置関係に保持することができる。
【００４３】
図２に、ケース本体１２にカバー１４を取り付けて完成した収容ケース１０をケース本体１２側からみた斜視図を示す。また、図３に、完成した収容ケース１０をカバー１４側からみた斜視図を示す。また、図４に、図２および図３のＩＶ−ＩＶ線断面図を示す。尚、図２において、コネクタ１８のコネクタピンの図示を省略した。
【００４４】
次いで、図１を再度参照してカバー１４について詳説する。図示の如く、カバー１４において、上面１４Ｕの中心付近には、収容ケース１０の内部空間と外部空間とを連通する通気孔５０が穿設される。図５は、図１のＶ−Ｖ線拡大部分断面図である。
【００４５】
図１および図５に示すように、通気孔５０の内側（ケース内方側）には、撥水フィルタ５２が取り付けられる。撥水フィルタ５２は、空気を透過する一方、水分や油分は透過しない撥水・撥油性の多孔質膜からなり、カバー１４の成形時にインサート成形される。尚、撥水フィルタ５２のインサート成形の手法に関しては、従来技術として挙げた国際公開第０１／２０９５８号パンフレットに詳しいので、ここでの記載は省略する。
【００４６】
また、図において符号５４は、撥水フィルタ５２を保護する（破損を防止する）ための保護格子部であり、撥水フィルタ５２をその中心線付近で支持するよう、通気孔５０の内部に形成される。
【００４７】
このように、この実施の形態にあっては、接着剤を使用してケース本体１２とカバー１４を気密に取り付けると共に、カバー１４に収容ケース１０の内部空間と外部空間とを連通する通気孔５０を穿設し、前記通気孔５０に撥水・撥油性の撥水フィルタ５２を取り付けるようにしたので、防水性（防塵性）と通気性を両立することができる。また、撥水フィルタ５２を保護する保護格子部５４を形成するようにしたので、撥水フィルタ５２の破損（破れなど）を防止することができる。
【００４８】
ところで、通気孔５０に液体や異物が侵入し、排出されることなくそのまま残存してしまうと、撥水フィルタ５２の表面が覆われて初期の通気性を得ることができなくなるおそれがある。このため、通気孔５０に液体や異物が侵入するのを抑制できることが望ましい。
【００４９】
そこで、この実施の形態にあっては、液体や異物が通気孔５０に侵入するのを阻止する（抑制する）侵入阻止部を、カバー１４に一体成形するようにした。
【００５０】
具体的には、図１によく示すように、通気孔５０から所定距離離間した位置において、通気孔５０を取り囲む環状の溝部５８（以下「環状溝部」という）を形成すると共に、前記環状溝部５８から上面１４Ｕの各辺６０ａ，６０ｂ，６０ｃ，６０ｄに連続する複数本（４本）の直線状の溝部６２ａ，６２ｂ，６２ｃ，６２ｄ（以下「直線状溝部」という）を形成するようにした。尚、直線状溝部６２ａ，６２ｂ，６２ｃ，６２ｄは、隣り合う溝部同士のなす角度が９０度となるように配置される。
【００５１】
これにより、通気孔５０より重力方向において上方の位置に付着した液体や異物は、環状溝部５８より上方に位置する直線状溝部を伝って環状溝部５８に到達すると共に、さらに環状溝部５８を伝って通気孔５０を回避しつつ環状溝部５８より下方に位置する直線状溝部に到達し、かかる直線状溝部を伝ってカバー１４の各辺６０ａ，６０ｂ，６０ｃ，６０ｄ、換言すれば、側面１４Ｓへと排出されるため、通気孔５０に液体や異物が侵入するのを抑制することができる。
【００５２】
また、通気孔５０を取り囲む環状溝部５８と上面視略矩形を呈する上面１４Ｕの各辺６０ａ，６０ｂ，６０ｃ，６０ｄを、それぞれのなす角度が９０度となるように形成された４本の直線状溝部６２ａ，６２ｂ，６２ｃ，６２ｄで接続することで、収容ケース１０の取り付け方向（向き）に関わらず、環状溝部５８を挟んで上方と下方に少なくとも一本の直線状溝部を配置させることができる。このため、上面１４Ｕに付着した液体や異物を、収容ケース１０の取り付け方向に関わらず通気孔５０を回避して側面１４Ｓへと排出させることができるため、収容ケース１０の取り付け方向に制約が生じない。
【００５３】
しかしながら、環状溝部５８と直線状溝部６２ａ，６２ｂ，６２ｃ，６２ｄのみにより、液体や異物が通気孔５０へ侵入するのを完全に防止するのは困難である。特に、環状溝部５８より内周に付着した液体や異物に関しては、通気孔５０に侵入するのを阻止し難い。
【００５４】
そこで、この実施の形態にあっては、通気孔５０に侵入した液体や異物の排出を容易にする排出補助部を設けることで、液体や異物が通気孔５０内に残存してしまうのを防止し、よって撥水フィルタ５２の表面が液体や異物で覆われないようにして通気性が低下するのを防止するようにした。
【００５５】
具体的には、図５に示す如く、収容ケース１０の内方から外方に向けて通気孔５０の径を拡径させるように、通気孔５０にテーパ部６６（以下「通気孔テーパ部」という）を形成するようにした。より具体的には、通気孔５０の壁面と撥水フィルタ５２のなす角度が、９０度を超えるように設定するようにしたので、通気孔５０に侵入した液体や異物を容易に排出することができる。
【００５６】
さらに、保護格子部５４に関しては、その幅が通気孔５０の内方から外方に向けて縮小するように、側面にテーパ部６８（以下「保護格子部テーパ部」という）を形成するようにした。換言すれば、保護格子部５４の側面と撥水フィルタ５２のなす角度が９０度を超えるように設定した。これにより、重力方向において上方から侵入してきた液体や異物は、保護格子部５４を容易に乗り越えることができる。即ち、重力方向において上方から侵入してきた液体や異物を、保護格子部５４を乗り越えさせて下方に位置する通気孔テーパ部６６へと到達させることで、通気孔５０の外部へと容易に排出できるようにした。
【００５７】
尚、通気孔テーパ部６６に代え、図６に示すような湾曲部７０（以下「通気孔湾曲部」という）を通気孔５０に形成するようにしても良い。また、保護格子部テーパ部６８に代え、同図に示すような断面視において円弧状を呈する湾曲部７２（以下「保護格子部湾曲部」という）を保護格子部５４の側面に形成するようにしても良い。いずれの場合も、撥水フィルタ５２と各湾曲部の接線のなす角度が９０度を超えるように設定すべきであることは言うまでもない。
【００５８】
このように、この発明の第１の実施の形態にあっては、カバー１４に穿設された通気孔５０に、液体や異物の排出を容易にする排出補助部、具体的には、通気孔テーパ部６６あるいは通気孔湾曲部７０を形成するように構成したので、通気孔５０に侵入した液体や異物を容易に排出することができる。
【００５９】
また、カバー１４に、通気孔５０への液体や異物の侵入を阻止する侵入阻止部、具体的には、通気孔５０から所定距離離間した位置において通気孔５０を取り囲む環状溝部５８と、前記環状溝部５８から上面１４Ｕの各辺６０ａ，６０ｂ，６０ｃ，６０ｄに連続する４本の直線状溝部６２ａ，６２ｂ，６２ｃ，６２ｄを一体成形するように構成したので、通気孔５０に液体が侵入するのを抑制することができると共に、かかる効果を収容ケース１０の取り付け方向に関わらず得ることができる。
【００６０】
さらに、通気孔５０に撥水フィルタ５２を保護するための保護格子部５４を形成すると共に、保護格子部５４の幅が通気孔５０の内方から外方に向けて縮小するように、その側面に保護格子部テーパ部６８、あるいは保護格子部湾曲部７２を形成するように構成したので、撥水フィルタ５２の破損を防止しつつ、通気孔５０に侵入した液体や異物を容易に排出することができる。
【００６１】
尚、カバー１４の上面１４Ｕが水平となるように収容ケース１０が取り付けられる場合であっても、エアーなどを吹きかけることによって通気孔５０に侵入した液体や異物を容易に排出することができる。
【００６２】
次いで、図７および図８を参照し、この発明の第２の実施の形態に係る電子回路基板の収容ケースについて説明する。
【００６３】
図７は、この発明の第２の実施の形態に係る電子回路基板の収容ケースのうち、カバー１４を示す斜視図である。また、図８は、図７のＶＩＩＩ−ＶＩＩＩ線拡大部分断面図である。
【００６４】
図示の如く、第２の実施の形態にあっては、通気孔５０への液体や異物の侵入を阻止する侵入阻止部として、カバー１４の上面１４Ｕに、上記した各溝部に代えて符号８０で示す環状の防壁部を一体成形するように構成した。
【００６５】
防壁部８０は、具体的には、通気孔５０から所定距離離間した位置において、通気孔５０を取り囲むように突設される。これにより、カバー１４に付着した液体や上面１４Ｕ上を移動する異物は、防壁部８０によって通気孔５０への侵入を阻止（抑制）される。また、防壁部８０は、通気孔５０を取り囲むように環状に突設されるので、かかる効果を収容ケース１０の取り付け方向に関わらず得ることができる。
【００６６】
さらに、防壁部８０を通気孔５０から所定距離離間した位置に突設させるようにしたので、従来技術のように通気孔５０の深さ（奥行き）が深くなり、侵入した液体や異物の排出が困難になることもない。
【００６７】
尚、残余の構成については、第１の実施の形態と同様であるので説明を省略する。また、図示は省略するが、防壁部８０の内壁（内周側（通気孔５０側）の側面）に、防壁部８０の内壁と上面１４Ｕとのなす角度が９０度を超えるようにテーパ部を形成するようにしても良い。そうすることで、防壁部８０の内周に侵入した液体や異物を、防壁部８０の外周へと容易に排出することができる。
【００６８】
以上のように、この発明の第１および第２の実施の形態に係る電子回路基板の収容ケースにおいては、通気孔（５０）が穿設されると共に、前記通気孔（５０）にインサート成形によって撥水フィルタ（５２）が取り付けられてなる電子回路基板の収容ケース（１０）において、前記通気孔（５０）に、前記通気孔（５０）に侵入した液体や異物の排出を容易にする排出補助部を形成するように構成した。
【００６９】
具体的には、前記排出補助部が、前記通気孔（５０）の径を前記収容ケース（１０）の内方から外方へと拡径させるテーパ部（通気孔テーパ部６６）からなるように構成した。
【００７０】
あるいは、前記排出補助部が、前記通気孔（５０）の径を前記収容ケース（１０）の内方から外方へと拡径させる湾曲部（通気孔湾曲部７０）からなるように構成した。
【００７１】
また、前記収容ケース（１０）に、前記通気孔（５０）への液体や異物の侵入を阻止する侵入阻止部を一体成形するように構成した。
【００７２】
具体的には、前記侵入阻止部が、前記通気孔（５０）から所定距離離間した位置において前記通気孔（５０）を取り囲むように形成された第１の溝部（環状溝部５８）と、前記第１の溝部（５８）から前記通気孔（５０）が穿設される面（カバー１４の上面１４Ｕ）の各辺（６０ａ，６０ｂ，６０ｃ，６０ｄ）へと連続するように形成された複数本（４本）の第２の溝部（直線状溝部６２ａ，６２ｂ，６２ｃ，６２ｄ）とからなるように構成した。
【００７３】
あるいは、前記侵入阻止部が、前記通気孔（５０）から所定距離離間した位置において前記通気孔（５０）を取り囲むように突設された防壁部（８０）からなるように構成した。
【００７４】
また、前記通気孔（５０）に、前記撥水フィルタ（５２）を保護するための保護格子部（５４）を形成するように構成した。
【００７５】
さらに、前記保護格子部（５４）の側面に、前記保護格子部（５４）の幅を前記通気孔（５０）の内方から外方に向けて縮小させるテーパ部（保護格子部テーパ部６８）を形成するように構成した。
【００７６】
あるいは、前記保護格子部（５４）の側面に、前記保護格子部（５４）の幅を前記通気孔（５０）の内方から外方に向けて縮小させる湾曲部（保護格子部湾曲部７２）を形成するように構成した。
【００７７】
尚、上記において、直線状溝部を４本形成するようにしたが、直線状溝部の本数はそれに限られるものではない。即ち、隣り合う溝部同士のなす角度が１８０度未満となるように溝部を形成することで、収容ケース１０の取り付け方向（向き）に関わらず、環状溝部５８を挟んで上方と下方に少なくとも一本の直線状溝部を配置させることができる。このため、３本以上の溝部を適宜な角度で形成することにより、収容ケース１０の取り付け方向に制約を生じさせないようにすることができる。
【００７８】
また、環状溝部５８と各辺６０ａ，６０ｂ，６０ｃ，６０ｄを直線状の溝部（直線状溝部）で結ぶようにしたが、かかる溝部は必ずしも直線である必要はない。
【００７９】
また、通気孔５０に一本の保護格子部５４を形成するようにしたが、通気孔の大きさに応じて本数を適宜増加しても良いし、形成しないようにしても良い。
【００８０】
また、ケース本体１２をアルミニウムなどの金属製とし、カバー１４をＰＢＴなどの樹脂製としたが、ケース本体１２とカバー１４の両方を樹脂製としても良い。さらに、材質も実施例で挙げたものに限られず、鋳鉄などのアルミニウム以外の金属を用いても良いし、樹脂材としてはＰＰ（ポリプロピレン）、ＰＰＳ（ポリフェニレンサルファイド）、ＡＢＳ樹脂などを用いても良い。
【００８１】
また、収容ケース１０を構成する２個のケース片のうち、基板１６が固定される側のケース片を「ケース本体１２」とし、それに取り付けられる側のケース片を「カバー１４」として記載したが、どちらを「ケース本体」あるいは「カバー」と見做すかは任意であり、かかる記載によって特定されるものではない。
【００８２】
また、上記で「上面」、「側面」、「底面」という表現を使用したが、それらは図面上の上下方向と左右方向に基づく表現であり、収容ケース１０の実空間内における取り付け方向（向き）を特定するものではない。
【００８３】
【発明の効果】
請求項１項にあっては、収容ケースに穿設された通気孔に、液体や異物の排出を容易にする排出補助部を形成するように構成したので、通気孔に侵入した液体や異物を容易に排出することができる。
【００８４】
また、請求項２項にあっては、通気孔に侵入した液体や異物の排出を容易にする排出補助部が、前記通気孔の径を収容ケースの内方から外方へと拡径させるテーパ部からなるように構成したので、請求項１項で述べたのと同様な効果を簡易な構成で得ることができる。
【００８５】
また、請求項３項にあっては、通気孔に侵入した液体や異物の排出を容易にする排出補助部が、前記通気孔の径を収容ケースの内方から外方へと拡径させる湾曲部からなるように構成したので、請求項１項で述べたのと同様な効果を簡易な構成で得ることができる。
【００８６】
また、請求項４項にあっては、収容ケースに、通気孔への液体や異物の侵入を阻止する侵入阻止部を一体成形するように構成したので、請求項１項から３項で述べた効果に加え、通気孔に液体や異物が侵入するのを抑制することができる。
【００８７】
また、請求項５項にあっては、通気孔への液体や異物の侵入を阻止する侵入阻止部が、前記通気孔から所定距離離間した位置において前記通気孔を取り囲むように形成された第１の溝部と、前記第１の溝部から前記通気孔が穿設される面の各辺へと連続するように形成された複数本の第２の溝部とからなるように構成したので、請求項４項で述べた効果に加え、収容ケースの取り付け方向に制約が生じることがない。
【００８８】
また、請求項６項にあっては、通気孔への液体や異物の侵入を阻止する侵入阻止部が、前記通気孔から所定距離離間した位置において前記通気孔を取り囲むように突設された防壁部からなるように構成したので、請求項４項で述べた効果に加え、収容ケースの取り付け方向に制約が生じることがない。
【００８９】
また、請求項７項にあっては、通気孔に、撥水フィルタを保護するための保護格子部を形成するように構成したので、請求項１項から６項で述べた効果に加え、撥水フィルタの破損を防止できる。
【００９０】
また、請求項８項にあっては、撥水フィルタを保護するための保護格子部の側面に、前記保護格子部の幅を通気孔の内方から外方に向けて縮小させるテーパ部を形成するように構成したので、請求項７項で述べた効果に加え、通気孔に保護格子部を形成した場合であっても、通気孔に侵入した液体や異物を容易に排出することができる。
【００９１】
また、請求項９項にあっては、撥水フィルタを保護するための保護格子部の側面に、前記保護格子部の幅を通気孔の内方から外方に向けて縮小させる湾曲部を形成するように構成したので、請求項７項で述べた効果に加え、通気孔に保護格子部を形成した場合であっても、通気孔に侵入した液体や異物を容易に排出することができる。
【図面の簡単な説明】
【図１】この発明の一つの実施の形態に係る電子回路基板の収容ケースをケース本体とカバーに分けて示す斜視図である。
【図２】図１に示すケース本体にカバーを取り付けて完成した収容ケースを、ケース本体側からみた斜視図である。
【図３】図１に示すケース本体にカバーを取り付けて完成した収容ケースを、カバー側からみた斜視図である
【図４】図２および図３のＩＶ−ＩＶ線断面図である。
【図５】図１のＶ−Ｖ線拡大部分断面図である。
【図６】図５と同様な断面図である。
【図７】この発明の第２の実施の形態に係る電子回路基板の収容ケースのうち、カバーを示す斜視図である。
【図８】図７のＶＩＩＩ−ＶＩＩＩ線拡大部分断面図である。
【符号の説明】
１０    収容ケース（電子回路基板の収容ケース）
１２    ケース本体
１４    カバー
１６    基板（電子回路基板）
５０    通気孔
５２    撥水フィルタ
５４    保護格子部
５８    環状溝部（第１の溝部。侵入阻止部）
６０ａ，６０ｂ，６０ｃ，６０ｄ    通気孔が穿設される面の各辺
６２ａ，６２ｂ，６２ｃ，６２ｄ    直線状溝部（第２の溝部。侵入阻止部）
６６    通気孔テーパ部（通気孔に形成されるテーパ部。排出補助部）
６８    保護格子部テーパ部（保護格子部の側面に形成されるテーパ部）
７０    通気孔湾曲部（通気孔に形成される湾曲部。排出補助部）
７２    保護格子部湾曲部（保護格子部の側面に形成される湾曲部）
８０    防壁部（侵入阻止部）
【図１】
2004356524.tif 000003
【図２】
2004356524.tif 000004
【図３】
2004356524.tif 000005
【図４】
2004356524.tif 000006
【図５】
2004356524.tif 000007
【図６】
2004356524.tif 000008
【図７】
2004356524.tif 000009
【図８】
2004356524.tif 000010